(57)【要約】【課題】  コネクタアダプタを操作する際に、周囲のコネクタアダプタに触れることなく作業できる光配線盤の接続アダプタを提供する。【解決手段】  多数のアダプタ保持部を一列に設けたアダプタユニット７と、このアダプタユニット７の開放された上面を閉塞する押さえバー８とを有し、アダプタユニット７には個々のコネクタアダプタ６を左右から挟持するための挟持片１３を櫛歯状に設け、コネクタアダプタ６を上方から着脱自在とした。押さえバー８はアダプタユニット７と同一の長さを有する板体であり、左右端部をアダプタユニット７にネジ止めすることでアダプタユニット７が保持したコネクタアダプタ６を固定した。【選択図】  図２
2006349857.tif 000002
【特許請求の範囲】
【請求項１】
光ファイバコネクタ同士を接続するためのコネクタアダプタと、該コネクタアダプタを抜き取り可能に保持するアダプタ保持部を多数列設して成るアダプタ保持手段と、前記アダプタ保持部に保持させたコネクタアダプタを一括して固定するアダプタ固定手段とを有することを特徴とする光配線盤の接続アダプタ。
【請求項２】
アダプタ保持部はコネクタアダプタを挟持する挟持片を有すると共に、アダプタ保持手段は前記挟持片を起立形成して櫛歯状に列設して成り、上方から前記挟持片間に対してコネクタアダプタの挿入／抜き取り操作を可能とした請求項１記載の光配線盤の接続アダプタ。
【請求項３】
アダプタ固定手段は、アダプタ保持手段と略同一の長さを有し、各アダプタ保持部を上方から一括して閉塞する板体であり、長手側両端部で前記アダプタ保持手段に連結することで各コネクタアダプタが固定される請求項２記載の光配線盤の接続アダプタ。
【発明の詳細な説明】
【技術分野】
【０００１】
本発明は、光配線盤内において、光ケーブルや光ファイバを接続する際に使用する接続アダプタに関する。
【背景技術】
【０００２】
光配線盤は、例えば特許文献１に示すように構成されている。特許文献１では、ラックの中に引き出し可能なトレイが多段に収納され、個々のトレイに光ファイバ同士を接続するための接続部（接続アダプタ）が配置されている。そして、光ケーブル内の複数の光ファイバ等を個々に別途光配線盤に引き込まれた他の光ファイバと接続可能としている。この接続アダプタは、光ファイバ端部に設けたコネクタ同士を接続するためのコネクタアダプタが隣接して一直線上に複数配置されて構成されている。
【特許文献１】特開２００３−１４９４５６号公報
【発明の開示】
【発明が解決しようとする課題】
【０００３】
しかし、上記従来の接続アダプタは、コネクタアダプタを個々にプレートにネジ止めした構成であるため、メンテナンス等でコネクタアダプタを取り外す作業が発生した場合、取り外し作業で隣接するコネクタアダプタに触れることがあった。その場合、隣接する光ファイバの伝送特性が劣化する場合があるため、取り外し作業が面倒であった。
そこで、本発明はこのような問題点に鑑み、個々のコネクタアダプタを操作する際に、周囲のコネクタアダプタに触れることなく作業できる光配線盤の接続アダプタを提供することを目的とする。
【課題を解決するための手段】
【０００４】
上記課題を解決する為に、請求項１に記載の発明は、光ファイバコネクタ同士を接続するためのコネクタアダプタと、該コネクタアダプタを抜き取り可能に保持するアダプタ保持部を多数列設して成るアダプタ保持手段と、前記アダプタ保持部に保持させたコネクタアダプタを一括して固定するアダプタ固定手段とを有することを特徴とする。
この構成により、アダプタ固定手段を外せば任意のコネクタアダプタの抜き取りが可能となり、隣接するコネクタアダプタに触れることなく任意のコネクタアダプタのメンテナンスが可能となる。また、アダプタ固定手段により一括してコネクタアダプタを固定でき、固定操作が容易である。
【０００５】
請求項２の発明は、請求項１に記載の発明において、アダプタ保持部はコネクタアダプタを挟持する挟持片を有すると共に、アダプタ保持手段は前記挟持片を起立形成して櫛歯状に列設して成り、上方から前記挟持片間に対してコネクタアダプタの挿入／抜き取り操作を可能としたことを特徴とする。
この構成により、上方からの挿入操作或いは上方へ持ち上げる操作でコネクタアダプタを着脱でき、簡易な操作で着脱できる。
【０００６】
請求項３の発明は、請求項２に記載の発明において、アダプタ固定手段は、アダプタ保持手段と略同一の長さを有し、各アダプタ保持部を上方から一括して閉塞する板体であり、長手側両端部で前記アダプタ保持手段に連結することで各コネクタアダプタが固定されることを特徴とする。
この構成により、アダプタ固定手段の両端をアダプタ保持手段に連結するだけでコネクタアダプタをアダプタ保持部に一括して固定でき、簡易な操作で固定できる。
【発明の効果】
【０００７】
本発明によれば、アダプタ固定手段を外せば任意のコネクタアダプタを取り外すことができ、隣接するコネクタアダプタに触れることなくコネクタアダプタのメンテナンスができる。
【発明を実施するための最良の形態】
【０００８】
以下、本発明を具体化した実施の形態を、図面に基づいて詳細に説明する。図１は本発明に係る光配線盤の接続アダプタの実施形態の一例を示し、光配線盤内に設置された引き出し可能なトレイの平面図を示している。図において、１はトレイ、２は光ファイバ、３は光ファイバ２の端部に取り付けられたコネクタ、４はコネクタ同士を接続するための接続アダプタである。トレイ１は、左右端部に前後方向に平行配置したスライド枠５が連結され、スムーズな引き出しを可能としている。
【０００９】
接続アダプタ４は、両端にコネクタ接続部を有してコネクタ３同士を接続するための多数のコネクタアダプタ６、コネクタアダプタ６を列設して保持するアダプタ保持手段としてのアダプタユニット７、アダプタユニット７に保持されたコネクタアダプタ６を固定して抜けを防止するアダプタ固定手段としての押さえバー８とから成り、トレイ１上に前後方向に長く配置され、コネクタ３を左右方向から接続可能に配置されている。
【００１０】
図２はアダプタユニット７を示し、（ａ）は平面図、（ｂ）は正面図、（ｃ）は左側面図である。アダプタユニット７は、横長の底板１１、押さえバー８を連結するための連結片１２、コネクタアダプタ６を挟持する挟持片１３から構成され、鋼板のプレス成形により底板１１、連結片１２、挟持片１３は一体に形成されている。尚、図２に示すコネクタアダプタ６は２コのコネクタ連結部を備えたＳＣアダプタを示している。
【００１１】
底板１１は、挟持片１３間の個々のアダプタ保持部に合わせて、コネクタアダプタ６の突起（図示せず）に係合する長方形状の孔１４が設けられ、左右端部には連結片１２に隣接してトレイ１の底板にネジ止めするためのネジ挿通孔１５が穿設されている。
また、連結片１２は、底板１１の左右端部に上方に伸びた支持板１２ａを有し、その先端を左右互いに内側に折り曲げて押さえバー８に係合する係合面１２ｂを設けて構成されている。係合面１２ｂには、ネジ孔１６が設けられ、押さえバー８をネジ止めして連結可能となっている。
【００１２】
挟持片１３は、底板１１の前面及び背面の双方に起立形成された棒状体で形成され、全体は左右に亘り等間隔で櫛歯状に形成されている。個々の挟持片１３は、保持するコネクタアダプタ６の幅に合わせて配置され、コネクタアダプタ６を前後２箇所で挟持して保持するよう形成されている。このように、アダプタ保持部は、一対の挟持片１３，１３と、底板１１に形成した孔１４とで構成され、保持したコネクタアダプタ６が前後方向に移動しないよう構成されている。
【００１３】
図３は押さえバー８を示し、（ａ）は平面図、（ｂ）は正面図、（ｃ）は左側面図である。押さえバー８は、アダプタユニット７と同様の長さで形成され、連結片１２のネジ孔１６に合わせてネジ挿通孔１８が穿設されている。そして、各アダプタ保持部に合わせて、コネクタアダプタ６の突起（図示せず）に係合する長方形状の孔１９が設けられ、長辺側の一辺には折り曲げ形成した補強片２０を有し押さえバー８を補強している。
【００１４】
このように、アダプタユニット７はアダプタ保持部を上方に開放して形成しているので、コネクタアダプタの着脱を容易に行うことができ、アダプタ固定手段である押さえバーを外した状態では、隣接するコネクタアダプタに触れることなく任意のコネクタアダプタを取り外してメンテナンスできる。また、上方からの挿入操作或いは上方へ持ち上げる操作でコネクタアダプタを着脱できるので、簡易な操作で着脱できる。
更に、アダプタ保持手段であるアダプタユニットに取り付けたコネクタアダプタを固定する際、押さえバーの両端部をアダプタユニットにネジ止めするだけで一括して固定でき、簡易な操作で固定できる。
【００１５】
尚、上記実施形態では、挟持片１３を底板１１と一体に金属で形成されているが、合成樹脂により形成しても良い。この場合、コネクタアダプタ６が合成樹脂製であるため、コネクタアダプタ６にストレスが加わり難くなる。また、押さえバー８を両端の２箇所でアダプタユニットにネジ止めしているが、保持するコネクタアダプタ６の数が更に増える場合は、更に中央部も連結部を設けてネジ止めしても良い。
【図面の簡単な説明】
【００１６】
【図１】本発明に係る光配線盤の接続アダプタの実施形態の一例を示すトレイの平面図である。
【図２】図１のアダプタユニットを示し、（ａ）は平面図、（ｂ）は正面図、（ｃ）は左側面図である。
【図３】図１の押さえバーを示し、（ａ）は平面図、（ｂ）は正面図、（ｃ）は左側面図である。
【符号の説明】
【００１７】
３・・コネクタ、４・・接続アダプタ、６・・コネクタアダプタ、７・・アダプタユニット（アダプタ保持手段）、８・・押さえバー（アダプタ固定手段）、１３・・挟持片、１６・・ネジ孔、１８・・ネジ挿通孔。
【図１】
2006349857.tif 000003
【図２】
2006349857.tif 000004
【図３】
2006349857.tif 000005